(57)【要約】      （修正有）【課題】足弓の異なるエリアのサポートを選択できるインソールの提供。【解決手段】インソール本体１０と、第一から第三の剛性補強部品１１，１２，１３とを含み、前記インソール本体は、第一から第三の係合孔組１０１，１０２，１０３、１０１ａ，１０２ａ，１０３ａを備え、前記第一から第三の剛性補強部品の内の少なくとも一つが、前記インソール本体に取付けられ、前記第一から第三の剛性補強部品が、それぞれ足部の外側縦アーチ、足弓の中心エリア、内側縦アーチをサポートし、複数の前記第一から第三の係合部品は、それぞれ複数の前記第一から第三の係合孔と対応し、前記インソール本体で係合する。インソール本体と少なくとも三個の剛性補強部品を用いて各種アーチサポートの選択を提供することができ、異なる個人の足部のバイオメカニクスと歩き方に適応する。【選択図】図１Ａ
2019080912.tif 000002
【特許請求の範囲】
【請求項１】
足弓の異なるエリアのサポートを選択できるインソールであり、インソール本体と、第一剛性補強部品と、第二剛性補強部品と、第三剛性補強部品とを含み、
前記インソール本体が、複数個の第一係合孔と、複数個の第二係合孔と、複数個の第三係合孔とを備え、
前記第一剛性補強部品、前記第二剛性補強部品、前記第三剛性補強部品の内の少なくとも一つが、前記インソール本体に取付けられ、取付け後、前記第一剛性補強部品が足部の外側縦アーチをサポートし、前記第二剛性補強部品が前記足部の足弓の中心エリアをサポートし、前記第三剛性補強部品が前記足部の内側縦アーチをサポートし、前記第一剛性補強部品が少なくとも二つの第一係合部品を備え、前記第二剛性補強部品が少なくとも二つの第二係合部品を備え、前記第三剛性補強部品が少なくとも二つの第三係合部品を備え、少なくとも一つの前記第一係合部品が、前記第一剛性補強部品と離れた端部に、長さの少なくとも部分的な分量がもう一つの前記第一係合部品に向く第一係合延伸部を備え、少なくとも一つの前記第二係合部品が、前記第二剛性補強部品と離れた端部に、長さの少なくとも部分的な分量がもう一つの前記第二係合部品に向く第二係合延伸部を備え、少なくとも一つの前記第三係合部品が、前記第三剛性補強部品と離れた端部に、長さの少なくとも部分的な分量がもう一つの前記第三係合部品に向く第三係合延伸部を備え、前記第一剛性補強部品、前記第二剛性補強部品、前記第三剛性補強部品が、それぞれ前記第一係合孔、第二係合孔、第三係合孔の前記第一係合部品、前記第二係合部品、前記第三係合部品と対応し、前記インソール本体で係合することを特徴とする、足弓の異なるエリアのサポートを選択できるインソール。
【請求項２】
前記第一剛性補強部品、前記第二剛性補強部品、前記第三剛性補強部品が、それぞれその長さの方向に沿って分布する第一軸、第二軸、第三軸を備え、前記第一軸、前記第二軸、前記第三軸の長さの部分的な分量が、前記インソール本体の長軸と平行であり、且複数の前記第一係合部品、前記第二係合部品、前記第三係合部品が、それぞれ前記第一軸、前記第二軸、前記第三軸の両端に接近した場所に位置することを特徴とする、請求項１に記載の足弓の異なるエリアのサポートを選択できるインソール。
【請求項３】
複数の前記第一係合延伸部、前記第二係合延伸部、前記第三係合延伸部の長さの方向が、それぞれ前記第一軸、前記第二軸、前記第三軸との間で鋭角または平行を呈することを特徴とする、請求項２に記載の足弓の異なるエリアのサポートを選択できるインソール。
【請求項４】
前記インソール本体に対応する複数の前記第一係合延伸部、前記第二係合延伸部、前記第三係合延伸部の形状が、長めの楕円形、多辺形、或いはそれらの組合せであり、且つ前記インソール本体に対応するもう一つの前記第一係合延伸部、もう一つの前記第二係合延伸部、もう一つの前記第三係合延伸部の形状が、円形或いは正多角形であることを特徴とする、請求項２に記載の足弓の異なるエリアのサポートを選択できるインソール。
【請求項５】
前記第一剛性補強部品を前記インソール本体に取付ける際、前記第二剛性補強部品が複数の前記第二係合孔に係合し、或いは第三剛性補強部品が複数の前記第三係合孔に係合することを特徴とする、請求項１に記載の足弓の異なるエリアのサポートを選択できるインソール。
【請求項６】
前記第二剛性補強部品を前記インソール本体に取付ける際、前記第三剛性補強部品が複数の前記第三係合孔に係合することを特徴とする、請求項１に記載の足弓の異なるエリアのサポートを選択できるインソール。
【請求項７】
前記インソール本体が踵と対応する踵部を含むことを特徴とする、請求項１に記載の足弓の異なるエリアのサポートを選択できるインソール。
【請求項８】
前記第一剛性補強部品が、更に前記インソール本体の外側を沿い少なくとも前記踵部の外側まで延伸する第一踵延伸部を含み、前記第二剛性補強部品が、更に前記インソール本体の長軸に沿い少なくとも前記踵部の内側及び外側まで延伸する第二踵延伸部を含み、前記第三剛性補強部品が、更に前記インソール本体の内側に沿い少なくとも前記踵部の内側まで延伸する第三踵延伸部を含むことを特徴とする、請求項７に記載の足弓の異なるエリアのサポートを選択できるインソール。
【請求項９】
前記インソール本体の踵部が、少なくとも前記第一踵延伸部、前記第二踵延伸部、前記第三踵延伸部を容置する容置溝を備えることを特徴とする、請求項８に記載の足弓の異なるエリアのサポートを選択できるインソール。
【請求項１０】
更に、請求項１に記載の前記第一剛性補強部品と同様の第四剛性補強部品、請求項１に記載の前記第二剛性補強部品と同様の第五剛性補強部品、請求項１に記載の前記第三剛性補強部品と同様の第六剛性補強部品を含むことを特徴とする、請求項８に記載の足弓の異なるエリアのサポートを選択できるインソール。
【請求項１１】
前記第一剛性補強部品、前記第二剛性補強部品、前記第三剛性補強部品、前記第四剛性補強部品、前記第五剛性補強部品、前記第六剛性補強部品の材質が、プラスチックやガラス繊維、炭素繊維複合物、金属材質等の内の一つ或いはその組合せであることを特徴とする、請求項１０に記載の足弓の異なるエリアのサポートを選択できるインソール。
【請求項１２】
前記第一剛性補強部品を前記インソール本体に取付ける際、前記第五剛性補強部品が複数の前記第二係合孔に係合することを特徴とする、請求項１０に記載の足弓の異なるエリアのサポートを選択できるインソール。
【請求項１３】
前記第二剛性補強部品を前記インソール本体に取付ける際、前記第四剛性補強部品が複数の前記第一係合孔に係合し、或いは第六剛性補強部品が複数の前記第三係合孔に係合することを特徴とする、請求項１０に記載の足弓の異なるエリアのサポートを選択できるインソール。
【請求項１４】
前記第三剛性補強部品を前記インソール本体に取付ける際、前記第五剛性補強部品が複数の前記第二係合孔に係合することを特徴とする、請求項１０に記載の足弓の異なるエリアのサポートを選択できるインソール。
【請求項１５】
本前記インソール本体が、更に前足部に少なくとも部分的に対応する前足部クッションを含むことで、前足部にかかる圧力の分散、或いは前記インソール本体の吸震度を強化させることを特徴とする、請求項１に記載の足弓の異なるエリアのサポートを選択できるインソール。
【発明の詳細な説明】
【技術分野】
【０００１】
本発明は、足弓の異なるエリアのサポートを選択できるインソールに関し、特にインソール本体及び選択性に取付ける少なくとも三個の剛性補強部品により、各種アーチサポートの選択を提供できるインソールである。
【背景技術】
【０００２】
従来のアーチインソールは、一般的に二種類に分かれ、それは足弓の解剖学に基づいて形状が通常よりも高いか低い足弓に分かれ、それぞれ高足弓及び低足弓形状用のインソールを採用する。しかしながら、アーチインストールを三種類に分けるという方法もあり、足弓の解剖学に基づいて、形状が高足弓、中足弓（正常）、低足弓（扁平足）に分かれ、それぞれ高足弓、中足弓、低足弓（扁平足）形状用のインソールを採用する。前記三種類の異なるアーチサポートインソールの機能及び構造はいずれも単一である為、一人に一種類のインソールしか提供できず、従って製造過程において型の生産過多問題が生じ、店頭で大量の在庫を準備しなければならず、コストの増加問題につながる。
【０００３】
更に、もし足部の更に大きな負荷をサポートするのに、そのサポート力を強化させる必要がある場合、前記三種類の異なるアーチインソールは、容易にサポート力を高くする他の構造の改良方法を提供することができない。
【０００４】
本発明の発明者は、周知技術の問題を鑑み、単一のインソール本体及び少なくとも三個の用材が少なめの剛性補強部品を用いて、各種異なるアーチサポートを提供できる選択方案をここに提示する。それは、型の生産及び在庫コストを削減し、材料コストを削減し、足弓の異なるエリアのサポートを選択できるインソールが負荷により湾曲しても剛性補強部品とインソール本体が緊密な係合を維持でき、外側縦アーチと内側縦アーチ及び中心エリアに更に強化したサポート力を容易に提供できるといった利点を有する。
【発明の概要】
【０００５】
本発明は足弓の異なるエリアのサポートを選択できるインソールを提供し、それはインソール本体と、第一剛性補強部品と、第二剛性補強部品と、第三剛性補強部品とを含む。前記インソール本体は、複数個の第一係合孔、複数個の第二係合孔、複数個の第三係合孔を備え、前記第一剛性補強部品、前記第二剛性補強部品、前記第三剛性補強部品の内の少なくとも一つは、前記インソール本体に取付けられ、取付け後、前記第一剛性補強部品は足部の外側縦アーチをサポートし、前記第二剛性補強部品は前記足部の足弓の中心エリアをサポートし、前記第三剛性補強部品は前記足部の内側縦アーチをサポートする。前記第一剛性補強部品は少なくとも二つの第一係合部品を備え、前記第二剛性補強部品は少なくとも二つの第二係合部品を備え、前記第三剛性補強部品は少なくとも二つの第三係合部品を備え、少なくとも一つの前記第一係合部品は、前記第一剛性補強部品と離れた端部に、長さの少なくとも部分的な分量がもう一つの前記第一係合部品に向く第一係合延伸部を備え、少なくとも一つの前記第二係合部品は、前記第二剛性補強部品と離れた端部に、長さの少なくとも部分的な分量がもう一つの前記第二係合部品に向く第二係合延伸部を備え、少なくとも一つの前記第三係合部品は、前記第三剛性補強部品と離れた端部に、長さの少なくとも部分的な分量がもう一つの前記第三係合部品に向く第三係合延伸部を備える。前記第一剛性補強部品、前記第二剛性補強部品、前記第三剛性補強部品は、それぞれ複数の前記第一係合孔、第二係合孔、第三係合孔の複数の前記第一係合部品、前記第二係合部品、前記第三係合部品と対応し、前記インソール本体で係合する。
【０００６】
本発明の足弓の異なるエリアのサポートを選択できるインソールにおいて、前記第一剛性補強部品、前記第二剛性補強部品、前記第三剛性補強部品は、それぞれその長さの方向に沿って分布する第一軸、第二軸、第三軸を備え、前記第一軸、前記第二軸、前記第三軸の長さの部分的な分量は、前記インソール本体の長軸と平行であり、且つ複数の前記第一係合部品、前記第二係合部品、前記第三係合部品は、それぞれ前記第一軸、前記第二軸、前記第三軸の両端に接近した場所に位置する。
【０００７】
本発明の足弓の異なるエリアのサポートを選択できるインソールにおいて、複数の前記第一係合延伸部、前記第二係合延伸部、前記第三係合延伸部の長さの方向は、それぞれ前記第一軸、前記第二軸、前記第三軸との間で鋭角または平行を呈する。
【０００８】
本発明の足弓の異なるエリアのサポートを選択できるインソールにおいて、前記インソール本体に対応する前記第一係合延伸部、前記第二係合延伸部、前記第三係合延伸部の形状は、長めの楕円形、多辺形、或いはそれらの組合せを備え、且つ前記インソール本体に対応するもう一つの前記第一係合延伸部、もう一つの前記第二係合延伸部、もう一つの前記第三係合延伸部の形状は、円形或いは正多角形である。
【０００９】
本発明の足弓の異なるエリアのサポートを選択できるインソールにおいて、前記第一剛性補強部品を前記インソール本体に取付ける際、前記第二剛性補強部品は複数の前記第二係合孔に係合する。或いは第三剛性補強部品は複数の前記第三係合孔に係合する。
【００１０】
本発明の足弓の異なるエリアのサポートを選択できるインソールにおいて、前記第二剛性補強部品を前記インソール本体に取付ける際、前記第三剛性補強部品は複数の前記第三係合孔に係合する。
【００１１】
本発明の足弓の異なるエリアのサポートを選択できるインソールにおいて、前記インソール本体は踵と対応する踵部を含む。
【００１２】
本発明の足弓の異なるエリアのサポートを選択できるインソールにおいて、前記第一剛性補強部品は、更に前記インソール本体の外側を沿い、少なくとも前記踵部の外側まで延伸する第一踵延伸部を含み、前記第二剛性補強部品は、更に前記インソール本体の長軸に沿い、少なくとも前記踵部の内側及び外側まで延伸する第二踵延伸部を含み、前記第三剛性補強部品は、更に前記インソール本体の内側に沿い、少なくとも前記踵部の内側まで延伸する第三踵延伸部を含む。
【００１３】
本発明の足弓の異なるエリアのサポートを選択できるインソールにおいて、前記インソール本体の踵部は、少なくとも前記第一踵延伸部、前記第二踵延伸部、前記第三踵延伸部を容置する容置溝を備える。
【００１４】
本発明の足弓の異なるエリアのサポートを選択できるインソールは、前記第一剛性補強部品が、更に前記インソール本体の外側を沿い、少なくとも前記踵部の外側まで延伸する第一踵延伸部を含み、前記第二剛性補強部品が、更に前記インソール本体の長軸に沿い、少なくとも前記踵部の内側及び外側まで延伸する第二踵延伸部を含み、前記第三剛性補強部品が、更に前記インソール本体の内側に沿い、少なくとも前記踵部の内側まで延伸する第三踵延伸部を含む際、更に本明細書０００５に記載の前記第一剛性補強部品と同様の第四剛性補強部品、本明細書０００５に記載の前記第二剛性補強部品と同様の第五剛性補強部品、本明細書０００５に記載の前記第三剛性補強部品と同様の第六剛性補強部品を含む。
【００１５】
本発明の足弓の異なるエリアのサポートを選択できるインソールにおいて、前記第一剛性補強部品、前記第二剛性補強部品、前記第三剛性補強部品、前記第四剛性補強部品、前記第五剛性補強部品、前記第六剛性補強部品の材質は、プラスチックやガラス繊維、炭素繊維複合物、金属材質等の内の一つ或いはその組合せである。
【００１６】
本発明の足弓の異なるエリアのサポートを選択できるインソールにおいて、前記第一剛性補強部品を前記インソール本体に取付ける際、前記第五剛性補強部品は複数の前記第二係合孔に係合する。
【００１７】
本発明の足弓の異なるエリアのサポートを選択できるインソールにおいて、前記第二剛性補強部品を前記インソール本体に取付ける際、前記第四剛性補強部品は複数の前記第一係合孔に係合する。或いは第六剛性補強部品が複数の前記第三係合孔に係合する。
【００１８】
本発明の足弓の異なるエリアのサポートを選択できるインソールにおいて、前記第三剛性補強部品を前記インソール本体に取付ける際、前記第五剛性補強部品は複数の前記第二係合孔に係合する。
【００１９】
本発明の足弓の異なるエリアのサポートを選択できるインソールは、前記インソール本体が更に前足部に少なくとも部分的に対応する前足部クッションを含み、前足部にかかる圧力の分散、或いは前記インソール本体の吸震度を強化させる。
【００２０】
上述したように、本発明の足弓の異なるエリアのサポートを選択できるインソールは以下の利点を有することができる。
（１）単一のインソール本体及び少なくとも三個の用材が少なめの剛性補強部品を用いて、各種アーチサポートの選択方案を提供するこができ、型の生産過多及び在庫コストの問題を防止する。
（２）少量の材料で外側縦アーチ、内側縦アーチ、足弓中心エリアのサポートを選択できるので、材料コストを削減する。
（３）インソール本体と剛性補強部品が係合後、インソール本体が負荷により湾曲しても、係合部品とインソール本体は緊密な係合を維持することができ、緩んだり外れたりすることがない。
（４）外側縦アーチ、内側縦アーチ、中心エリア或いはそれらを組合せたエリアに、更に強化したサポート力を容易に提供することができ、足部の更に大きな負荷をサポートする。
【００２１】
上述の「発明の概要」は、本発明の範囲を制限するものではなく、本発明の特徴と利点を体現するいくつかの典型的実施例については、後方の「発明を実施するための形態」で詳しく説明する。
【図面の簡単な説明】
【００２２】
【図１Ａ】本発明の足弓の異なるエリアのサポートを選択できるインソールの実施例の見取図である。
【図１Ｂ】本発明の足弓の異なるエリアのサポートを選択できるインソールの実施例の別の様態の見取図である。
【図２】本発明の足弓の異なるエリアのサポートを選択できるインソールの係合構造断面図である。
【図２Ａ】剛性補強部品がインソール本体に係合する過程の断面図である。
【図２Ｂ】剛性補強部品がインソール本体に係合する過程の断面図である。
【図２Ｃ】剛性補強部品がインソール本体に係合する過程の断面図である。
【図３Ａ】本発明の足弓の異なるエリアのサポートを選択できるインソールの各係合延伸部の平面図である。
【図３Ｂ】本発明の足弓の異なるエリアのサポートを選択できるインソールの各係合延伸部の別の様態の平面図である。
【図４】本発明の足弓の異なるエリアのサポートを選択できるインソールの踵部の様態見取図である。
【図５】本発明の足弓の異なるエリアのサポートを選択できるインソールのサポート力を強化する第一実施例の見取図である。
【図６】本発明の足弓の異なるエリアのサポートを選択できるインソールのサポート力を強化する第二実施例の見取図である。
【図７】本発明の足弓の異なるエリアのサポートを選択できるインソールのサポート力を強化する第三実施例の見取図である。
【図８】本発明の足弓の異なるエリアのサポートを選択できるインソールの実施例の別の様態の見取図である。
【図９】本発明の足弓の異なるエリアのサポートを選択できるインソールのサポート力を強化する第四実施例の見取図である。
【図１０】本発明の足弓の異なるエリアのサポートを選択できるインソールのサポート力を強化する第五実施例の見取図である。
【図１１】本発明の足弓の異なるエリアのサポートを選択できるインソールのサポート力を強化する第六実施例の見取図である。
【図１２】本発明の足弓の異なるエリアのサポートを選択できるインソールのサポート力を強化する第七実施例の見取図である。
【発明を実施するための形態】
【００２３】
本発明の技術の内容と構造の特徴、達成する目標と効果を詳細に説明するために、以下に実施例と図面を用いて詳説する。
【００２４】
図１Ａを参照すると、図１Ａは本発明の足弓の異なるエリアのサポートを選択できるインソール１の実施例の見取図であり、且つ図１Ｂは本発明の足弓の異なるエリアのサポートを選択できるインソールの実施例の別の様態の見取図である。本発明の足弓の異なるエリアのサポートを選択できるインソール１は、インソール本体１０と、第一剛性補強部品１１と、第二剛性補強部品１２と、第三剛性補強部品１３とを含み、その内、前記第一剛性補強部品１１、前記第二剛性補強部品１２、前記第三剛性補強部品１３の内の一つは、三組の係合孔を備える前記インソール本体１０に取付けることができ、特に、前記第一剛性補強部品１１、前記第二剛性補強部品１２、前記第三剛性補強部品１３は、硬度を限定しない任意の組合せの材質とすることが出来る。例えば、前記第一剛性補強部品１１、前記第二剛性補強部品１２、前記第三剛性補強部品１３を成す材質は、プラスチックやガラス繊維、炭素繊維複合物、金属材質等の内の一つ或いはその組合せで製成することができ、注意すべき点は、プラスチックやガラス繊維、炭素繊維複合物、金属材質等の内の一つ或いはその組合せで製成する材質は、前述の任意の二種類の材質を重畳、平面組合せ、立体組合せ等の方式で組合せる材質を指す。更に、前記インソール本体１０の外側縦アーチ側を前記インソール本体１０の外側ｌ（ｌａｔｅｒａｌ  ｓｉｄｅ）、前記インソール本体１０の内側縦アーチ側を前記インソール本体１０の内側ｍ（ｍｅｄｉａｌ  ｓｉｄｅ）と定義することができる。
【００２５】
これにより、本発明は、単一の前記インソール本体１０及び少なくとも三個の用材が少なめの剛性補強部品を用いて、各種異なるアーチのサポートの選択方案を提供することで、従来技術の、外側縦アーチ、足弓中心エリア、内側縦アーチをサポートするインソールを三種類にそれぞれ分けて製造して提供することにより生じる型の生産過多及び在庫コストの問題を防止する。更に、本発明は、少量の材料で外側縦アーチ、内側縦アーチ、足弓中心エリアのサポートを選択できる為、材料コストを削減する。
【００２６】
具体的に説明すると、上述の前記インソール本体１０は、複数の第一係合孔１０１、複数の第二係合孔１０２、複数の第三係合孔１０３を備えることができ、更に、前記インソール本体１０は踵に対応する踵部１７を含むことができる。取付けられた後、上述の前記第一剛性補強部品１１は、足部の外側縦アーチをサポートすることができ、足部の回外運動（Ｓｕｐｉｎａｔｉｏｎ）及び／或いは高足弓により生じる問題を緩和し、前記第二剛性補強部品１２は、前記足部の足弓中心エリアをサポートすることができ、足部の軽微な回内運動（Ｐｒｏｎａｔｉｏｎ）及び／或いは中足弓の問題を緩和し、且つ前記第三剛性補強部品１３は、前記足部の内側縦アーチをサポートすることができ、足部の過度な回内運動（Ｏｖｅｒ−Ｐｒｏｎａｔｉｏｎ）及び／或いは低足弓または扁平足により生じる問題を緩和する。前記第一剛性補強部品１１は、少なくとも二つの第一係合部品１１１を備え、前記第二剛性補強部品１２は、少なくとも二つの第二係合部品１２１を備え、前記第三剛性補強部品１３は、少なくとも二つの第三係合部品１３１を備え、これら前記第一係合部品１１１、前記第二係合部品１２１、前記第三係合部品１３１の形状は、円形、楕円形、多辺形或いはそれらの組合せとすることができる。更に、複数の前記第一係合部品１１１、前記第二係合部品１２１、前記第三係合部品１３１は、湾折でき、前記インソール本体１０の表面輪郭に適応する。図２が示すように、少なくとも一つの前記第一係合部品１１１は、前記第一剛性補強部品１１と離れた端部に、長さの少なくとも部分的な分量がもう一つの前記第一係合部品１１１に向く第一係合延伸部１１２を備え、少なくとも一つの前記第二係合部品１２１は、前記第二剛性補強部品１２と離れた端部に、長さの少なくとも部分的な分量がもう一つの前記第二係合部品１２１に向く第二係合延伸部１２２を備え、少なくとも一つの前記第三係合部品１３１は、前記第三剛性補強部品１３と離れた端部に、長さの少なくとも部分的な分量がもう一つの前記第三係合部品１３１に向く第三係合延伸部１３２を備え、前記第一剛性補強部品、前記第二剛性補強部品、前記第三剛性補強部品は、それぞれ前記第一係合孔、第二係合孔、第三係合孔の前記第一係合部品、前記第二係合部品、前記第三係合部品と対応し、前記インソール本体１０で係合される。更に、前記インソール本体１０は、前足部に少なくとも部分的に対応する前足部クッション１９を含み、前足部にかかる圧力の分散、或いは前記インソール本体１０の吸震度を強化させる。
【００２７】
詳細に説明すると、前記第一剛性補強部品１１、前記第一係合部品１１１、前記第一係合延伸部１１２を例とすると、前記第一係合延伸部１１２の材料の硬度は制限がなく、且つ前記インソール本体１０に対応する前記第一係合延伸部１１２の形状は、円形、楕円形、多辺形或いはそれらの組合せとすることができ、前記第一係合孔１０１は、前記インソール本体１０の表面と接近する箇所で、凸縁１０１１を備え、前記凸縁１０１１が囲む表面開口Ｏ１の長さは、前記第一係合孔１０１の下半部分の開口Ｏ２の長さより短く、特に、前記表面開口Ｏ１の長さが前記開口Ｏ２の長さより若干短いことで、前記第一係合延伸部１１２と前記第一係合孔１０１を外れにくくさせる。注意すべき点は、前記第二係合孔１０２と前記第三係合孔１０３もそれぞれ凸縁１０２１と凸縁１０３１を備え、その構造は前記凸縁１０１１と同様であり、再度説明しない。前記インソール本体１０とほぼ平行である前記第一係合延伸部１１２の表面辺縁は、その間に最大距離Ｄｍａｘを形成する少なくとも一組の端点を備え、前記両端点の連線は即ち前記第一係合延伸部１１２の長さであり、前記第一係合部品１１１は、前記第一剛性補強部品１１と離れた端部に、長さの少なくとも部分的な分量がもう一つの前記第一係合部品１１１に向く前記第一係合延伸部１１２を備え、係合後、前記インソール本体１０が湾曲しても、前記第一係合部品１１１と前記インソール本体１０は緊密な係合を維持することができ、緩んだり外れたりすることがない。更に、注意すべき点は、前記第二係合延伸部１２２と前記第三係合延伸部１３２の構造は前記第一係合延伸部１１２と同様であり、再度説明しない。
【００２８】
図１Ａが示すように、前記インソール本体１０に対応する各係合孔の前記表面開口Ｏ１の形状は、円形とすることができ、前記インソール本体１０に対応する各係合孔の前記表面開口Ｏ１の形状のみ、長さの方向がほぼ平行である前記インソール本体１０の前記長軸Ｌの円形、楕円、多辺形或いはそれらの組合せとすることができる。且つ、各凸縁１０１１／１０２１／１０３１を指向する前記第一係合延伸部１１２の端部の形状が、平滑な弧形または斜面状であることを利用して、各前記係合延伸部１１２／１２２／１３２を各前記係合孔１０１（１０１ａ）／１０２（１０２ａ）／１０３（１０３ａ）に対応させて押込む。
【００２９】
図２Ａ乃至図２Ｃが示すように、それらは剛性補強部品がインソール本体に係合する過程の断面図である。図２Ａが示すように、前記第一係合部品１１１と前記第一係合孔１０１の係合を例とすると、本様態は、前記表面開口Ｏ１の長さを前記最大距離Ｄｍａｘとほぼ同じに設計することができ、且つ前記第一係合孔１０１に対応する前記第一係合部品１１１の後壁と、前記第一係合孔１０１の後壁との間には間隙を備える。
【００３０】
図２Ｂが示すように、前記第一係合部品１１１を前記第一係合孔１０１に押込み、この時、前記第一係合延伸部１１２の端部形状は平滑な孤形または斜面状である為、前記第一係合延伸部１１２は、少しだけ位置をずらすことで前記表面開口Ｏ１内に納まり、且つ前記第一係合部品１１１の柱状部分を少しだけ変形して湾曲させることで、前記第一係合延伸部１１２を完全に前記表面開口Ｏ１内に納める。
【００３１】
図２Ｃが示すように、引続き前記第一係合部品１１１を前記第一係合孔１０１に押込み、この時、前記第一係合延伸部１１２は、前向きに反発することで前記開口Ｏ２に納まり、且つ前記第一係合部品１１１の柱状部分は係合前の状態に回復する。この時、前記インソール本体１０が湾曲しても、前記第一係合部品１１１と前記インソール本体１０は緊密な係合を維持することができ、緩んだり外れたりすることがない。
【００３２】
更に図３Ａが示すように、前記第一剛性補強部品１１、前記第二剛性補強部品１２、前記第三剛性補強部品１３は、それぞれその長さに沿って分布する第一軸Ｃ１、第二軸Ｃ２、第三軸Ｃ３を備え、前記第一軸Ｃ１、前記第二軸Ｃ２、前記第三軸Ｃ３の長さの部分的な分量は、前記インソール本体１０の長軸Ｌと平行であり、即ち前記第一軸Ｃ１、前記第二軸Ｃ２、前記第三軸Ｃ３は、前記長軸Ｌとほぼ平行である。且つこれら前記第一係合部品１１、前記第二係合部品１２、前記第三係合部品１３は、それぞれ前記第一軸Ｃ１、前記第二軸Ｃ２、前記第三軸Ｃ３の両端に接近した場所に位置し、更に、複数の前記第一係合延伸部１１２、前記第二係合延伸部１２２、前記第三係合延伸部１３２の長さの方向が、それぞれ前記第一軸Ｃ１、前記第二軸Ｃ２、前記第三軸Ｃ３との間で鋭角または平行を呈する。
【００３３】
図１Ｂと図３Ｂが示すように、それらはそれぞれ本発明の足弓の異なるエリアのサポートを選択できるインソールの実施例の別の様態の見取図、本発明の足弓の異なるエリアのサポートを選択できるインソールの各係合延伸部の別の様態の平面図である。図１Ｂと図３Ｂの両者のみ併せて実施することができ、まず初めに、前記インソール本体１０に対応することができる前記前足部クッション１９側の前記第一係合孔１０１ａ、前記第二係合孔１０２ａ、前記第三係合孔１０３ａの前記表面開口Ｏ１の形状は、長めの円形、多辺形或いはそれらの組合せを備え、且つそれらの長さの方向は前記長軸Ｌとほぼ垂直であり、前記インソール本体１０に対応することができる前記踵部１７側の前記第一係合孔１０１、前記第二係合孔１０２、前記第三係合孔１０３の前記表面開口Ｏ１の形状は、円形或いは正多辺形である。且つ、前記インソール本体１０に対応する前記第一係合延伸部１１２、前記第二係合延伸部１２２、前記第三係合延伸部１３２の形状は、長めの楕円形、多辺形或いはそれらの組合せを備え、前記インソール本体１０に対応するもう一つの前記第一係合延伸部１１２、もう一つの前記第二係合延伸部１２２、もう一つの前記第三係合延伸部１３２の形状は、円形或いは正多辺形である。係合延伸部を各係合孔に対応させて係合する時、先に長めの楕円形、多辺形或いはそれらの組合せを備える前記係合延伸部１１２／１２２／１３２を、その長さの方向が前記長軸Ｌとほぼ垂直になるように置き、その後、前記前足部クッション１９側の前記第一係合孔１０１ａ、前記第二係合孔１０２ａ、前記第三係合孔１０３ａに対応させて押込み、更に、前記第一軸Ｃ１、前記第二軸Ｃ２及び／または前記第三軸Ｃ３を前記長軸Ｌとおよそ平行になるように回す。最後に、形状が円形或いは正多辺形である前記第一係合延伸部１１２、前記第二係合延伸部１２２、及び／または前記第三係合延伸部１３２を前記踵部１７側の前記係合孔１０１／１０２／１０３に対応させて押込む。
【００３４】
図１及び図４を参照すると、図１の前記踵部１７の形状は山形、図４の前記踵部１７の底面形状はフラットトップ形とすることができ、且つ前記踵部１７の側面形状は弧形とすることができる。係合孔と係合延伸部の実行方式は、図１Ａ、図１Ｂ、図２、図３Ａ、図３Ｂ等と同様とすることができ、再度説明しない。
【００３５】
図５を参照すると、図５は本発明の足弓の異なるエリアのサポートを選択できるインソールのサポート力を強化する第一実施例の見取図である。前記第一剛性補強部品１１を前記インソール本体１０に取付けることができ、且つ前記第二剛性補強部品１２を複数の前記第二係合孔１０２に係合する。このように、足部の回外運動或いは高足弓の問題を緩和し、且つ例えば、ＢＭＩ数値が２７より大きい肥満体型者や、運動量の大きい運動、ランニング、サイクリング、重量の重い物を背負う（登山用リュック等）等を行う人に、更に強化したサポート力を提供し、足部の更に大きな負荷をサポートする。
【００３６】
図６を参照すると、図６は本発明の足弓の異なるエリアのサポートを選択できるインソールのサポート力を強化する第二実施例の見取図である。前記第一剛性補強部品１１を前記インソール本体１０に取付けることができ、且つ前記第三剛性補強部品１３を複数の前記第三係合孔１０３に係合する。このように、足部の軽微な回内運動或いは中足弓の問題を緩和し、且つ例えば、ＢＭＩ数値が２７より大きい肥満体型者や、運動量の大きい運動、ランニング、サイクリング、重量の重い物を背負う（登山用リュック等）等を行う人に、更に強化したサポート力を提供し、足部の更に大きな負荷をサポートする。
【００３７】
図７を参照すると、図７は本発明の足弓の異なるエリアのサポートを選択できるインソールのサポート力を強化する第三実施例の見取図である。前記第二剛性補強部品１２を前記インソール本体１０に取付けることができ、且つ前記第三剛性補強部品１３を複数の前記第三係合孔１０３に係合する。このように、足部の過度な回内運動及び／或いは扁平足の問題を緩和し、且つ例えば、ＢＭＩ数値が２７より大きい肥満体型者や、運動量の大きい運動、ランニング、サイクリング、重量の重い物を背負う（登山用リュック等）等を行う人に、更に強化したサポート力を提供し、足部の更に大きな負荷をサポートする。
【００３８】
図８を参照すると、前記第一剛性補強部品１１は、更に前記インソール本体１０の外側を沿い、少なくとも前記踵部１７の外側まで延伸する第一踵延伸部１１３を含み、前記第二剛性補強部品１２は、更に前記インソール本体１０の長軸Ｌに沿い、少なくとも前記踵部１７の内側及び外側まで延伸する第二踵延伸部１２３を含み、前記第三剛性補強部品１３は、更に前記インソール本体１０の内側に沿い、少なくとも前記踵部１７の内側まで延伸する第三踵延伸部１３３を含み、踵に追加的に側方のサポートを提供する。例えば、前記第一踵延伸部１１３で高足弓により生じる内反足（Ｈｅｅｌ  Ｖａｒｕｓ）を補助でき、或いは前記第三踵延伸部１３３で扁平足により生じる外反踵足（Ｈｅｅｌ  Ｖａｌｇｕｓ）を補助でき、また或いは前記第二踵延伸部１２３で内反足及び外反踵足を防止することができる。更に、前記インソール本体１０の前記踵部１７は、少なくとも前記第一踵延伸部１１３、前記第二踵延伸部１２３、前記第三踵延伸部１３３を容置する容置溝１８を含むことができる。
【００３９】
図９から図１２を参照すると、図９は本発明の前記第一踵延伸部１１３の前記第一剛性補強部品１１、前記第五剛性補強部品１５を結合させた様態の見取図であり、図１０は本発明の前記第二踵延伸部１２３の前記第二剛性補強部品１２、前記第四剛性補強部品１４を結合させた様態の見取図であり、図１１は本発明の前記第二踵延伸部１２３の前記第二剛性補強部品１２、前記第六剛性補強部品１６を結合させた様態の見取図であり、図１２は本発明の前記第三踵延伸部１３３の前記第三剛性補強部品１３、前記第五剛性補強部品１５を結合させた様態の見取図である。複数の前記様態は、足部の回外運動或いは回内運動、又は足部の過度な回内運動により生じる足部の問題を緩和し、且つ例えば、ＢＭＩ数値が２７より大きい肥満体型者や、運動量の大きい運動、ランニング、サイクリング、重量の重い物を背負う（登山用リュック等）等を行う人に、更に強化したサポート力を提供して、足部の更に大きな負荷をサポートし、更に高足弓により生じる内反足の補助或いは扁平足により生じる外反踵足の補助をでき、また或いは内反足及び外反踵足を防止することができる。
【００４０】
更に、前記第四剛性補強部品１４から前記第六剛性補強部品１６の構造は、それぞれ前記第一剛性補強部品１１から前記第三剛性補強部品１３と同様であるが、前記第一踵延伸部１１３から前記第三踵延伸部１３３のみ備えない。
【００４１】
図９が示すように、前記第一剛性補強部品１１を前記インソール本体１０に取付ける情況において、前記第五剛性補強部品１５は複数の前記第二係合孔１０２に係合することができ、足部の回外運動或いは高足弓の問題を緩和し、且つ高足弓により生じる内反足の補助をし、更に、例えば、ＢＭＩ数値が２７より大きい肥満体型者や、運動量の大きい運動、ランニング、サイクリング、重量の重い物を背負う（登山用リュック等）等を行う人に、更に強化したサポート力を提供し、足部の更に大きな負荷をサポートする。
【００４２】
図１０が示すように、前記第二剛性補強部品１２を前記インソール本体１０に取付ける情況において、前記第四剛性補強部品１４は複数の前記第一係合孔１０１に係合することができ、足部の軽微（ｍｉｌｄ）な回外運動或いは軽微な高足弓の問題を緩和し、且つ内反足及び外反踵足を防止し、また、例えば、ＢＭＩ数値が２７より大きい肥満体型者や、運動量の大きい運動、ランニング、サイクリング、重量の重い物を背負う（登山用リュック等）等を行う人に、更に強化したサポート力を提供し、足部の更に大きな負荷をサポートする。
【００４３】
図１１が示すように、前記第二剛性補強部品１２を前記インソール本体１０に取付ける情況において、前記第六剛性補強部品１６は複数の前記第三係合孔１０３に係合することができ、足部の軽微な回内運動或いは低足弓の問題を緩和し、且つ低足弓により生じる外反踵足の補助をし、また、例えば、ＢＭＩ数値が２７より大きい肥満体型者や、運動量の大きい運動、ランニング、サイクリング、重量の重い物を背負う（登山用リュック等）等を行う人に、更に強化したサポート力を提供し、足部の更に大きな負荷をサポートする。
【００４４】
図１２が示すように、前記第三剛性補強部品１３を前記インソール本体１０に取付ける情況において、前記第五剛性補強部品１５は複数の前記第二係合孔１０２に係合することができ、足部の過度な回内運動或いは扁平足の問題を緩和し、且つ扁平足により生じる外反踵足の補助をし、また、例えば、ＢＭＩ数値が２７より大きい肥満体型者や、運動量の大きい運動、ランニング、サイクリング、重量の重い物を背負う（登山用リュック等）等を行う人に、更に強化したサポート力を提供し、足部の更に大きな負荷をサポートする。
【００４５】
係合孔と係合延伸部の実行方式は、図１Ａ、図１Ｂ、図２、図３Ａ、図３Ｂと同様とすることができるので、再度説明しない。
【００４６】
上述に本発明の特徴と利点を体現するいくつかの典型的実施例を説明したが、本発明を制限するものではなく、発明は当業者であれば諸般の修飾が可能であるが、そのいずれも本発明の範囲を脱せず、いずれも後付の特許請求の範囲の保護範囲に含まれる。
【符号の説明】
【００４７】
１                            足弓の異なるエリアのサポートを選択できるインソール
１０                          インソール本体
１０１、１０１ａ              第一係合孔
１０２、１０２ａ              第二係合孔
１０３、１０３ａ              第三係合孔
１０１１，１０２１，１０３１  凸縁
１１                          第一剛性補強部品
１１１                        第一係合部品
１１２                        第一係合延伸部
１１３                        第一踵延伸部
１２                          第二剛性補強部品
１２１                        第二係合部品
１２２                        第二係合延伸部
１２３                        第二踵延伸部
１３                          第三剛性補強部品
１３１                        第三係合部品
１３２                        第三係合延伸部
１３３                        第三踵延伸部
１４                          第四剛性補強部品
１５                          第五剛性補強部品
１６                          第六剛性補強部品
１７                          踵部
１８                          容置溝
１９                          前足部クッション
Ｃ１                          第一軸
Ｃ２                          第二軸
Ｃ３                          第三軸
Ｄｍａｘ            最大距離
Ｌ                            長軸
Ｏ１                          表面開口
Ｏ２                          開口
ｌ                            インソール本体の外側
ｍ                            インソール本体の内側
【図１Ａ】
2019080912.tif 000003
【図１Ｂ】
2019080912.tif 000004
【図２】
2019080912.tif 000005
【図２Ａ】
2019080912.tif 000006
【図２Ｂ】
2019080912.tif 000007
【図２Ｃ】
2019080912.tif 000008
【図３Ａ】
2019080912.tif 000009
【図３Ｂ】
2019080912.tif 000010
【図４】
2019080912.tif 000011
【図５】
2019080912.tif 000012
【図６】
2019080912.tif 000013
【図７】
2019080912.tif 000014
【図８】
2019080912.tif 000015
【図９】
2019080912.tif 000016
【図１０】
2019080912.tif 000017
【図１１】
2019080912.tif 000018
【図１２】
2019080912.tif 000019